(57)【特許請求の範囲】
【請求項１】
釣り糸を巻き取るスプールと、前記スプールを支持するリール本体と、を備えた釣り用リールであって、
前記スプールは、
軸部と、
前記軸部に固定されたフランジ部と、
前記軸部を囲んで配置される複数の胴部材であって、前記フランジ部における複数の第１の位置であって前記軸部から第１の距離を有する前記複数の第１の位置と、前記フランジ部における複数の第２の位置であって前記軸部から第２の距離を有する前記複数の第２の位置と、に選択的に固定可能な前記複数の胴部材と、
を含み、
前記リール本体は、前記スプールが前記軸部を中心として回転可能な状態となるように、前記スプールを支持する、
釣り用リール。
【請求項２】
釣り糸を巻き取るスプールと、前記スプールを支持するリール本体と、を備えた釣り用リールであって、
前記スプールは、
第１部分と第２部分とを有する軸部と、
前記軸部の前記第１部分に固定された第１フランジ部及び前記軸部の前記第２部分に固定された第２フランジ部と、
第１端部と第２端部とをそれぞれ有し、前記軸部を囲んで配置される複数の胴部材であって、
前記第１フランジ部における複数の第１の位置であって前記軸部から第１の距離を有する前記複数の第１の位置に前記複数の胴部材の前記第１端部及び前記第２端部の一方が固定され、前記第２フランジ部における複数の第３の位置であって前記軸部から前記第１の距離を有する前記複数の第３の位置に前記複数の胴部材の前記第１端部及び前記第２端部の他方が固定された第１の状態と、
前記第１フランジ部における複数の第２の位置であって前記軸部から第２の距離を有する前記複数の第２の位置に前記複数の胴部材の前記第１端部及び前記第２端部の一方が固定され、前記第２フランジ部における複数の第４の位置であって前記軸部から前記第２の距離を有する前記複数の第４の位置に前記複数の胴部材の前記第１端部及び前記第２端部の他方が固定された第２の状態と、
を選択的にとり得る前記複数の胴部材と、
を含み、
前記リール本体は、前記スプールが前記軸部を中心として回転可能な状態となるように、前記スプールを支持する、
釣り用リール。
【発明の詳細な説明】
【技術分野】
【０００１】
本発明は、釣り竿に取り付けられて、ライン（釣り糸）を巻き取ったり、巻き取られているラインを送り出したりするための釣り用リールに関する。
【背景技術】
【０００２】
釣り用リールにラインを巻き取ると、ラインに巻き癖がついてしまうことがある。ラインに巻き癖がつくと、ラインが扱いにくくなってしまう。フライフィッシング（毛ばり釣り）においては、錘（おもり）を使わないか、使うとしても軽い錘しか付けないので、巻き癖は特に問題になり得る。
【０００３】
釣り用リールは、ラインを巻き取るスプールと、スプールを回転可能とし且つスプールを収容するリール本体と、を備えている。スプールの胴部（巻き取り軸）の径を、本明細書においてはアーバー径という。アーバー径が小さいと、釣り用リールに巻き取られたラインの曲率半径が小さくなるので、強い巻き癖がついてしまう。そこで、最近のフライフィッシング用のリールでは、巻き癖がつきにくいように大きなアーバー径を有する「ラージアーバー」のものが人気となっている。
【０００４】
ラージアーバーのリールにおいては、アーバー径を大きくしたことと引き換えに、ラインの巻き容量が犠牲となっている。しかし、状況によっては、巻き容量を大きくしたい場合がある。例えば、太いラインや長いラインを使う場合には、ラインの総体積（ラインの断面積×長さ）が大きくなるので、巻き容量を大きくしないとラインをすべて巻き取れなくなることも起こり得る。
【先行技術文献】
【特許文献】
【０００５】
【特許文献１】特開２００４−２９００１９号公報
【特許文献２】登録実用新案第３１８８１９０号公報
【特許文献３】米国特許第６８５１６３７号明細書
【発明の概要】
【発明が解決しようとする課題】
【０００６】
特開２００４−２９００１９号公報には、フランジの小さいスプールから、フランジの大きいスプールに交換することにより、巻き容量を大きくすることが記載されている。しかし、アーバー径を変更することは記載されていない。特開２００４−２９００１９号公報において、もともとのアーバー径が「小さい」場合に、アーバー径を変更できないのであれば、ラインを巻き取ると強い巻き癖が「常に」ついてしまう。一方、もともとのアーバー径が「大きい」場合に、フランジの大きいスプールに交換できるようにするためには、スプールを収容するリール本体のサイズを非常に大きくしなければならない。さらに、特開２００４−２９００１９号公報によれば、スプールごと交換しなくてはならないので、材料コストがかさみ、資源が無断となってしまう。
【０００７】
登録実用新案第３１８８１９０号公報には、スプールの胴部に下巻きをしてスプールの胴部の嵩上げをし、所望の糸巻き容量のスプールにすることが記載されている。これにより実質的にアーバー径の変更に近い結果となる。しかしながら、登録実用新案第３１８８１９０号公報によれば、下巻きのための追加部品が必要となる。また、下巻きのための追加部品の重さが加わるので、釣り用リールを取り付けた釣り竿全体の重量が増え、釣り竿が扱いにくくなってしまう。さらに、下巻きのための追加部品の重さによって、スプールという回転部材の重量が増えるので、スプールの角運動量を一定とするとスプールの角速度が小さくなる、すなわち、スプールのスムーズな回転が阻害される。
【０００８】
米国特許第６８５１６３７号明細書には、１つのリール本体に、アーバー径の小さいスプールを取り付けてもよいし、アーバー径の大きいスプールを取り付けてもよいことが記載されている。しかし、スプールごと交換しなくてはならないので、材料コストがかさみ、資源が無断となってしまう。
【課題を解決するための手段】
【０００９】
本発明の１つの観点に係る釣り用リールは、
釣り糸を巻き取るスプールと、前記スプールを支持するリール本体と、を備えた釣り用リールであって、
前記スプールは、
軸部と、
前記軸部に固定されたフランジ部と、
前記軸部を囲んで配置される複数の胴部材であって、前記フランジ部における複数の第１の位置であって前記軸部から第１の距離を有する前記複数の第１の位置と、前記フランジ部における複数の第２の位置であって前記軸部から第２の距離を有する前記複数の第２の位置と、に選択的に固定可能な前記複数の胴部材と、
を含み、
前記リール本体は、前記スプールが前記軸部を中心として回転可能な状態となるように、前記スプールを支持する。
【００１０】
本発明の別の観点に係る釣り用リールは、
釣り糸を巻き取るスプールと、前記スプールを支持するリール本体と、を備えた釣り用リールであって、
前記スプールは、
第１部分と第２部分とを有する軸部と、
前記軸部の前記第１部分に固定された第１フランジ部及び前記軸部の前記第２部分に固定された第２フランジ部と、
第１端部と第２端部とをそれぞれ有し、前記軸部を囲んで配置される複数の胴部材であって、
前記第１フランジ部における複数の第１の位置であって前記軸部から第１の距離を有する前記複数の第１の位置に前記複数の胴部材の前記第１端部及び前記第２端部の一方が固定され、前記第２フランジ部における複数の第３の位置であって前記軸部から前記第１の距離を有する前記複数の第３の位置に前記複数の胴部材の前記第１端部及び前記第２端部の他方が固定された第１の状態と、
前記第１フランジ部における複数の第２の位置であって前記軸部から第２の距離を有する前記複数の第２の位置に前記複数の胴部材の前記第１端部及び前記第２端部の一方が固定され、前記第２フランジ部における複数の第４の位置であって前記軸部から前記第２の距離を有する前記複数の第４の位置に前記複数の胴部材の前記第１端部及び前記第２端部の他方が固定された第２の状態と、
を選択的にとり得る前記複数の胴部材と、
を含み、
前記リール本体は、前記スプールが前記軸部を中心として回転可能な状態となるように、前記スプールを支持する。
【図面の簡単な説明】
【００１１】
【図１】本発明の実施形態に係る釣り用リールのアーバー径を大きくした状態を示す分解斜視図である。
【図２】図１に示される釣り用リールの斜視図であり、ラインを巻き取った状態を示している。
【図３】図１に示される釣り用リールにおけるスプールの回転中心に沿ったスプールの断面図である。
【図４】上記実施形態に係る釣り用リールのアーバー径を小さくした状態を示す分解斜視図である。
【図５】図４に示される釣り用リールの斜視図であり、ラインを巻き取った状態を示している。
【図６】図４に示される釣り用リールにおけるスプールの回転中心に沿ったスプールの断面図である。
【発明を実施するための形態】
【００１２】
以下、本発明の実施形態を、図面を参照しながら詳細に説明する。以下に説明される実施形態は、本発明の一例を示すものであって、本発明の内容を限定するものではない。また、実施形態で説明される構成及び動作のすべてが本発明の構成及び動作として必須であるとは限らない。なお、同一の構成要素には同一の参照符号を付して、重複する説明を省略する。
【００１３】
＜１．概要＞
図１〜図６は、本発明の１つの実施形態を示す。図１〜図３は、アーバー径を大きくした状態を示し、図４〜図６は、アーバー径を小さくした状態を示す。釣り用リール１は、ラインＬを巻き取るスプール２と、スプール２を回転可能とし且つスプール２を収容するリール本体３と、を備えている。
【００１４】
この実施形態は、スプール２の胴部（巻き取り軸）を複数のピン２０で構成した点に、第１の特徴を有している。また、これらのピン２０を、図１〜図３に示されるようにスプール２の回転中心Ｏからそれぞれ「第１の距離Ｒ１」だけ離れた「第１の位置Ｐ１」に固定したり、図４〜図６に示されるようにスプール２の回転中心Ｏからそれぞれ「第２の距離Ｒ２」だけ離れた「第２の位置Ｐ２」に固定したりすることができる点に、第２の特徴を有している。
【００１５】
「第１の位置Ｐ１」にピン２０が固定された場合、「第１の距離Ｒ１」が、ほぼアーバー径に相当し、「第２の位置Ｐ２」にピン２０が固定された場合、「第２の距離Ｒ２」が、ほぼアーバー径に相当する。
【００１６】
「第１の距離Ｒ１」＞「第２の距離Ｒ２」であるとすると、複数のピン２０を「第１の位置Ｐ１」に固定すればラージアーバーとなり、ラインの巻き癖を抑制できる。複数のピン２０を「第２の位置Ｐ２」に固定すればスモールアーバーとなり、巻き容量を大きくすることができる。このようにして、１つのスプール２でアーバー径を変更することができる。
【００１７】
複数のピン２０を「第１の位置Ｐ１」に固定するときは、複数のピン２０は「第２の位置Ｐ２」には不要であり、複数のピン２０を「第２の位置Ｐ２」に固定するときは、複数のピン２０は「第１の位置Ｐ１」には不要なので、重量の増加や資源の無駄も抑制できる。
【００１８】
＜２．詳細＞
＜２−１．リール本体３＞
リール本体３は、スプール回転軸３０と、リング部材３１と、円盤部材３２と、を備えている。リング部材３１と円盤部材３２とは、ほぼ同じ外径を有しており、これらは互いに複数の連結ピン３３により連結され固定されている。また、図示しない釣り竿にリール本体３を固定するための固定具３４が、少なくとも１つの連結ピン３３に固定されていてもよい。
【００１９】
スプール回転軸３０は、円盤部材３２の中央に支持されている。スプール回転軸３０は、円盤部材３２に対して回転可能となっている。円盤部材３２には、スプール回転軸３０の回転方向を規制するための図示しないラチェット機構が設けられており、このラチェット機構は、スプール回転軸３０の回転方向を切り替えできるように構成されてもよい。
【００２０】
＜２−２．スプール２＞
スプール２は、円筒空洞状のスプール軸部２１と、第１及び第２フランジ部２２ａ及び２２ｂと、を備えている。スプール軸部２１の一方の端部である第１部分２１ａには第１フランジ部２２ａが固定され、スプール軸部２１の他方の端部である第２部分２１ｂには第２フランジ部２２ｂが固定されている。
【００２１】
スプール回転軸３０が、スプール軸部２１の第２部分２１ｂに挿入され、スプール軸部２１の第１部分２１ａまで貫通し得る。スプール軸部２１を貫通したスプール回転軸３０に、ネジ３５がねじ込まれて固定されたとき、スプール２はスプール回転軸３０の周りに回転可能な状態でリール本体３に支持されるようになっている。上述のようにスプール回転軸３０が円盤部材３２に対して回転可能である場合、スプール２はスプール回転軸３０と一体となって回転してもよい。スプール２には、スプール２を手で回転させるときに使用されるハンドル２３も設けられている。
【００２２】
スプール２の第１フランジ部２２ａ及び第２フランジ部２２ｂの各々には、複数のピン２０をそれぞれ固定するための複数の貫通孔４１及び複数の貫通孔４２が形成されている。第１フランジ部２２ａに設けられた複数の貫通孔４１の位置が「第１の位置Ｐ１」に相当し、第２フランジ部２２ｂに設けられた複数の貫通孔４１の位置が「第３の位置Ｐ３」に相当する。第１フランジ部２２ａに設けられた複数の貫通孔４２の位置が「第２の位置Ｐ２」に相当し、第２フランジ部２２ｂに設けられた複数の貫通孔４２の位置が「第４の位置Ｐ４」に相当する。あるいは、第１フランジ部２２ａでも第２フランジ部２２ｂでも、複数の貫通孔４１は、スプール２の回転中心Ｏからそれぞれ「第１の距離Ｒ１」だけ離れている点で同じであるので、「第１の位置Ｐ１」及び「第３の位置Ｐ３」をまとめて「第１の位置Ｐ１」と称してもよい。第１フランジ部２２ａでも第２フランジ部２２ｂでも、複数の貫通孔４２は、スプール２の回転中心Ｏからそれぞれ「第２の距離Ｒ２」だけ離れている点で同じであるので、「第２の位置Ｐ２」及び「第４の位置Ｐ４」をまとめて「第２の位置Ｐ２」と称してもよい。
【００２３】
複数のピン２０の各々は、第１フランジ部２２ａと第２フランジ部２２ｂとの間で、スプール軸部２１と平行となるように配置される。図１〜図３に示されるように、複数のピン２０の各々の第１端部２０ａは、第１フランジ部２２ａの外側から貫通孔４１を介してピン２０の第１端部２０ａにねじ込まれるボルト２５によって、第１の位置Ｐ１に固定することができる。このとき、複数のピン２０の各々の第２端部２０ｂは、第２フランジ部２２ｂの外側から貫通孔４１を介してピン２０の第２端部２０ｂにねじ込まれるボルト２５によって、第３の位置Ｐ３に固定することができる。
【００２４】
ボルト２５を外せば、複数のピン２０の固定を解除して複数のピン２０を移動させることができる。すなわち、図４〜図６に示されるように、複数のピン２０の各々の第１端部２０ａは、第１フランジ部２２ａの外側から貫通孔４２を介してピン２０の第１端部２０ａにねじ込まれるボルト２５によって、第２の位置Ｐ２に固定することができる。このとき、複数のピン２０の各々の第２端部２０ｂは、第２フランジ部２２ｂの外側から貫通孔４２を介してピン２０の第２端部２０ｂにねじ込まれるボルト２５によって、第４の位置Ｐ４に固定することができる。なお、ピン２０の第１端部２０ａ及び第２端部２０ｂは互いにほぼ同一の形状に加工されてもよく、ピン２０を反転させることにより第１端部２０ａと第２端部２０ｂとを入れ替えて第１フランジ部２２ａ及び第２フランジ部２２ｂに固定できるようにしてもよい。ピン２０は中空円筒状であってもよく、図３、図６に示されるように円柱状であってもよい。
【００２５】
図１〜図３に示されるように、「第１の位置Ｐ１」及び「第３の位置Ｐ３」には８本のピン２０を固定することができ、図４〜図６に示されるように、「第２の位置Ｐ２」及び「第４の位置Ｐ４」には６本のピン２０を固定することができる。「第１の位置Ｐ１」及び「第３の位置Ｐ３」にピン２０を固定する場合に比べて、「第２の位置Ｐ２」及び「第４の位置Ｐ４」にピン２０を固定するときは、２本のピン２０とその両端の４個のボルト２５が余剰となる。これらの余剰を別途の小物入れ等に保管しておけば、後で「第１の位置Ｐ１」及び「第３の位置Ｐ３」に８本のピン２０をセットし直すことができる。
【００２６】
＜３．その他＞
「第１の位置Ｐ１」及び「第３の位置Ｐ３」に固定できるピン２０の数は８本でなくてもよく、また、「第２の位置Ｐ２」及び「第４の位置Ｐ４」に固定できるピン２０の数は６本でなくてもよい。これらの本数は、実用的範囲内の任意の本数（例えば５本以上２０本以下）でよい。なお、第１及び第２フランジ部２２ａ及び２２ｂには、貫通孔４１及び貫通孔４２以外にも多数の孔が形成されているが、そのほとんどは重さ軽減のための孔であって、図示した例においてピン２０を固定するのは貫通孔４１及び貫通孔４２だけである。貫通孔４１及び貫通孔４２と、その他の孔とを区別するために、貫通孔４１及び貫通孔４２の孔径と、その他の孔の孔径とが異なるようにしてもよい。例えば、その他の孔の孔径は、ピン２０が通過してしまうほどに大きい孔径にしたり、或いは、ボルト２５の雄ネジ部分を挿入できないほどに小さい孔径にしたりしてもよい。
【００２７】
以上の説明においては、スプール２の胴部（巻き取り軸）を複数のピン２０で構成する場合について説明したが、胴部材はピン２０に限られず、フランジに固定できる複数の部材であればよい。
以上の説明においては、第１及び第２フランジ部２２ａ及び２２ｂにそれぞれピン２０の第１及び第２端部２０ａ及び２０ｂが固定される場合について説明したが、ピン２０が第１の位置と第２の位置とに選択的に固定可能となっていればよく、ピン２０の固定箇所は両端の２箇所でなくてもよい。
以上の説明においては、スプール２の回転中心Ｏからピン２０が固定される位置までの距離が「第１の距離Ｒ１」と「第２の距離Ｒ２」の２種類である場合について説明したが、スプール２の回転中心Ｏからピン２０が固定される位置までの距離は３種類以上であってもよい。
以上の説明においては、フライフィッシングに用いられる「フライリール」の例を説明したが、本発明は、他の種類の魚釣り用リール（ベイトリール、スピニングリール）にも適用することができる。
【符号の説明】
【００２８】
１…釣り用リール、２…スプール、３…リール本体、２０…ピン、２０ａ…第１端部、２０ｂ…第２端部、２１…スプール軸部、２１ａ…第１部分、２１ｂ…第２部分、２２ａ…第１フランジ部、２２ｂ…第２フランジ部、２３…ハンドル、２５…ボルト、３０…スプール回転軸、３１…リング部材、３２…円盤部材、３３…連結ピン、３４…固定具、３５…ネジ、４１…貫通孔、４２…貫通孔、Ｏ…回転中心、Ｐ１…第１の位置、Ｐ２…第２の位置、Ｐ３…第３の位置、Ｐ４…第４の位置、Ｒ１…第１の距離、Ｒ２…第２の距離
【要約】
【課題】アーバー径を変更できるスプールを備えた釣り用リールを提供する。
【解決手段】釣り用リール１は、ライン（釣り糸）Ｌを巻き取るスプール２と、スプール２を支持するリール本体３と、を備える。スプール２は、スプール軸部２１と、スプール軸部２１に固定されたフランジ部２２ａ又は２２ｂと、スプール軸部２１を囲んで配置される複数のピン（胴部材）２０と、を含む。複数のピン２０は、フランジ部２２ａ又は２２ｂにおける複数の第１の位置Ｐ１であってスプール軸部２１から第１の距離Ｒ１を有する複数の第１の位置Ｐ１と、フランジ部２２ａ又は２２ｂにおける複数の第２の位置Ｐ２であってスプール軸部２１から第２の距離Ｒ２を有する複数の第２の位置Ｐ２と、に選択的に固定可能である。リール本体３は、スプール２がスプール軸部２１を中心として回転可能な状態となるように、スプール２を支持する。
【選択図】図２【図１】
0005958729.tif 000002
【図２】
0005958729.tif 000003
【図３】
0005958729.tif 000004
【図４】
0005958729.tif 000005
【図５】
0005958729.tif 000006
【図６】
0005958729.tif 000007